(57)【要約】【課題】所定の倍力を確保した上、小型化の要請に応えることが可能なレバー式コネクタを提供する。【解決手段】操作部材４０は、第１ハウジング１０に対して突出位置と押し込み位置との間を嵌合方向に直進移動可能とされる。操作部材４０には、カム部５２が設けられている。レバー６０は、第１ハウジング１０に回動可能に支持される。レバー６０には、被カム部６５が設けられている。操作部材４０が突出位置から押し込み位置に至る過程で、カム部５２と被カム部６５とが互いに摺動することにより、レバー６０が嵌合完了位置へ向けて回動され、嵌合完了位置に達したときに、レバー６０が第２ハウジング８０のフード部８１内に収容される。【選択図】図５
2015220049.tif 000002
【特許請求の範囲】
【請求項１】
フード部を有する第２ハウジングと、
前記フード部内に嵌合可能な第１ハウジングと、
前記第１ハウジングに対して突出位置と押し込み位置との間を前記第１ハウジングの嵌合方向に直進移動可能とされ、前記突出位置から前記押し込み位置にかけて次第に前記第１ハウジングからの突出量を減少させる操作部材と、
前記第１ハウジングに対して嵌合開始位置と嵌合完了位置との間を回動可能に支持され、前記嵌合開始位置にて前記第２ハウジングと係合した状態で前記嵌合完了位置へ向けて回動され、前記嵌合完了位置にて前記第１、第２ハウジングを正規の嵌合状態に至らすレバーとを備え、
前記操作部材には、カム部が設けられ、前記レバーには、被カム部が設けられ、
前記操作部材が前記突出位置から前記押し込み位置に至る過程で、前記カム部と前記被カム部とが互いに摺動することにより、前記レバーが前記嵌合完了位置へ向けて回動され、さらに、前記嵌合完了位置に達したときに、前記レバーが前記フード部内に収容される構成としたことを特徴とするコネクタ。
【請求項２】
前記押し込み位置では、前記操作部材が、押し込み操作される部分を除いて、前記フード部内に収容されることを特徴とする請求項１記載のコネクタ。
【請求項３】
前記操作部材には、ロック部が設けられ、前記第１ハウジングには、被ロック部が設けられ、前記操作部材が前記押し込み位置に達したときに、前記ロック部が前記被ロック部を弾性的に係止して、前記操作部材が前記レバーとともに前記第１ハウジングに保持されることを特徴とする請求項１又は２記載のコネクタ。
【発明の詳細な説明】
【技術分野】
【０００１】
本発明は、レバー式コネクタに関する。
【背景技術】
【０００２】
特許文献１に開示されたレバー式コネクタは、相手ハウジングのフード部内に嵌合されるハウジングと、ハウジングに対して初期位置と嵌合位置との間を回動可能に支持されるレバーとを備えている。レバーは、連結部と、連結部の両端部から互いに平行に突出する一対のアーム部とで構成されている。レバーは、初期位置にて相手ハウジングと係合される。レバーが初期位置から嵌合位置へ向けて回動されると、レバーと相手ハウジングとの間に倍力作用が発揮され、両ハウジングの嵌合が低嵌合力で進行する。そして、レバーが嵌合位置に達すると、両ハウジングが嵌合状態に保持されるようになっている。レバーが嵌合位置にあるとき、ハウジングの全体はフード部内に収容されるが、レバーの連結部のうちの指で摘み操作される部分はフード部外に露出して配置されるようになっている。
【先行技術文献】
【特許文献】
【０００３】
【特許文献１】特開２０１１−２２２２４９号公報
【発明の概要】
【発明が解決しようとする課題】
【０００４】
ところで、例えば、ハウジングに収容される端子の極数が増加した場合には、レバー長を長くしたり、レバーの操作角度を大きくとることで、所定の倍力を確保する必要がある。しかし、レバー長を長くすると、レバーのハウジングからの突出量も大きくなるため、小型化の要請に応えることができないという問題がある。
【０００５】
本発明は上記のような事情に基づいて完成されたものであって、所定の倍力を確保した上、小型化の要請に応えることが可能なレバー式コネクタを提供することを目的とする。
【課題を解決するための手段】
【０００６】
フード部を有する第２ハウジングと、前記フード部内に嵌合可能な第１ハウジングと、前記第１ハウジングに対して突出位置と押し込み位置との間を前記第１ハウジングの嵌合方向に直進移動可能とされ、前記突出位置から前記押し込み位置にかけて次第に前記第１ハウジングからの突出量を減少させる操作部材と、前記第１ハウジングに対して嵌合開始位置と嵌合完了位置との間を回動可能に支持され、前記嵌合開始位置にて前記第２ハウジングと係合した状態で前記嵌合完了位置へ向けて回動され、前記嵌合完了位置にて前記第１、第２ハウジングを正規の嵌合状態に至らすレバーとを備え、前記操作部材には、カム部が設けられ、前記レバーには、被カム部が設けられ、前記操作部材が前記突出位置から前記押し込み位置に至る過程で、前記カム部と前記被カム部とが互いに摺動することにより、前記レバーが前記嵌合完了位置へ向けて回動され、さらに、前記嵌合完了位置に達したときに、前記レバーが前記フード部内に収容される構成としたところに特徴を有する。
【発明の効果】
【０００７】
レバーが嵌合完了位置に達したときに、レバーが第２ハウジングのフード部内に収容されるため、レバーの出っ張りに起因してレバー式コネクタが大型になるのが防止される。また、レバーに操作部材が連続して延びて、見かけのレバー長が増加するため、所定の倍力を確保することができる。したがって、本発明によれば、所定の倍力を確保した上、小型化の要請に応えることが可能なレバー式コネクタを提供することができる。
【図面の簡単な説明】
【０００８】
【図１】本発明の実施例において、第１ハウジングに対し、操作部材が押し込み位置に至り、レバーが嵌合完了位置に至り、第１、第２ハウジングが正規嵌合された状態を示す背面図である。
【図２】図１のＡ−Ａ線断面図である。
【図３】第１ハウジングに対し、操作部材が突出位置にあり、レバーが嵌合開始位置にあり、第１、第２ハウジングが浅く嵌合された状態を示す平面視方向の断面図である。
【図４】第１ハウジングに対し、操作部材が押し込み位置へ向けて直進移動させられ、レバーが嵌合開始位置へ向けて回動させられ、第１、第２ハウジングが嵌合される途中の状態を示す平面視方向の断面図である。
【図５】第１ハウジングに対し、操作部材が押し込み位置に至り、レバーが嵌合完了位置に至り、第１、第２ハウジングが正規嵌合された状態を示す平面視方向の断面図である。
【図６】第１ハウジングに対し、操作部材が突出位置にあり、レバーが嵌合開始位置にあり、第１、第２ハウジングが浅く嵌合された状態を示す側面図である。
【図７】レバーのカム板の平面図である。
【図８】操作部材の側面図である。
【図９】操作部材の平面図である。
【図１０】第１ハウジングの平面図である。
【発明を実施するための形態】
【０００９】
本発明の好ましい形態を以下に示す。
前記押し込み位置では、前記操作部材が、押し込み操作される部分を除いて、前記フード部内に収容される。これによれば、操作部材もフード部から大きく突出することがなく、レバー式コネクタのさらなる小型化を図ることができる。
【００１０】
また、前記操作部材には、ロック部が設けられ、前記第１ハウジングには、被ロック部が設けられ、前記操作部材が前記押し込み位置に達したときに、前記ロック部が前記被ロック部を弾性的に係止して、前記操作部材が前記レバーとともに前記第１ハウジングに保持される。これによれば、操作部材及びレバーを介して、第１、第２ハウジングを嵌合状態に保持することができる。
【００１１】
＜実施例＞
本発明の実施例を図１〜図１０によって説明する。本実施例のレバー式コネクタは、第１ハウジング１０と、第１ハウジング１０に嵌合可能な第２ハウジング８０と、第１ハウジング１０に回動可能に支持されるレバー６０と、レバー６０に係合可能に連結され、且つ、第１ハウジング１０に直進移動可能に組み込まれる操作部材４０とを備えている。なお、以下の説明において、前後方向については、第１ハウジング１０及び第２ハウジング８０が嵌合開始時に互いに対向する面側を前側とする。上下方向については、図１を基準とする。幅方向は、第１、第２ハウジング１０、８０の嵌合方向と直交する方向であって、図６及び図８を除く各図の左右方向と同義である。
【００１２】
第２ハウジング８０は合成樹脂製であって、図１〜図６に示すように、フード部８１を有している。フード部８１は、前方に突出する略角筒状の周壁８２を有している。図２〜図５に示すように、周壁８２の両側壁のうちの一方の側壁（図示左側の側壁）は、幅方向外側へ膨出する膨出壁８３として構成される。図１及び図３に示すように、周壁８２の上下両壁の内面には、一対のカムフォロア８４が突出して設けられている。両カムフォロア８４は、略円柱状をなしている。また、図２及び図３に示すように、フード部８１内には、複数の雄タブ８５が突出して配置されている。
【００１３】
第１ハウジング１０は合成樹脂製であって、図１〜図６に示すように、ハウジング本体１１を有している。ハウジング本体１１は、略角ブロック状をなし、図１及び図２に示すように、複数のキャビティ１２を有している。図２に示すように、各キャビティ１２には、後方から端子金具３０が挿入されて収容される。各端子金具３０は、電線９０の端末部に接続されている。各電線９０は、第１ハウジング１０の後面から外部へ引き出される。また、第１、第２ハウジング１０、８０の正規嵌合時には、各端子金具３０がそれぞれ対応する雄タブ８５と電気的に接続されるようになっている。
【００１４】
図１に示すように、ハウジング本体１１の外面は、幅方向にほぼ沿った一対の長辺面１３と、上下方向（高さ方向）にほぼ沿った一対の短辺面１４とを有している。図２に示すように、ハウジング本体１１の両短辺面１４のうちの一方の短辺面１４（図示左側の外面）には、爪状の被ロック部１５が突出して設けられている。
【００１５】
図１及び図１０に示すように、ハウジング本体１１の両長辺面１３には、一対のポケット部１６が設けられている。ポケット部１６は、ハウジング本体１１の長辺面１３との間に間隔をあけて対向して配置された薄肉の覆い壁１７を有している。図１に示すように、ハウジング本体１１の長辺面１３と覆い壁１７との間には、レバー６０の後述するカム板６１が配置されるようになっている。図１０に示すように、覆い壁１７の後端部には、支軸１８が突出して設けられている。そして、覆い壁１７の後端部には、支軸１８と並んでガイド突部１９が設けられている。また、覆い壁１７には、前後方向に延びてこの覆い壁１７の前端に開口する導入溝２０が設けられている。導入溝２０は、覆い壁１７を厚み方向に貫通する形態になっている。また、導入溝２０は、支軸１８の前方に配置されている。
【００１６】
ハウジング本体１１の後面の上下両端には、図６及び図１０に示すように、覆い壁１７と一方の短辺面１４側で並び合う位置に、一対の案内壁２１が後方へ突出して設けられている。両案内壁２１は、角柱状をなしている。図１０に示すように、両案内壁２１の外面は、ハウジング本体１１の両長辺面１３と段差なく面一で連続している。また、ハウジング本体１１の両長辺面１３には、覆い壁１７と一方の短辺面１４側で並び合う位置に、前後方向に延びる有底の案内溝２２が設けられている。案内溝２２は、ハウジング本体１１の前端に開口している。そして、案内溝２２は、案内壁２１の外面にも形成され、案内壁２１の後端に開口している。
【００１７】
レバー６０は合成樹脂製であって、図６に示すように、一対のカム板６１によって構成されている。図７に示すように、カム板６１は、平板状をなし、支軸１８を受ける軸受孔６２を有している。カム板６１には、所定方向に延びてこのカム板６１の外周縁に開口するカム溝６３が設けられている。また、カム板６１には、軸受孔６２を中心とする円弧に沿って湾曲したガイド孔６４が設けられている。さらに、カム板６１には、ガイド孔６４を挟んで軸受孔６２と反対側の位置に、軸受孔６２へ向けて延びる直線溝状の被カム部６５が設けられている。被カム部６５、ガイド孔６４及びカム溝６３は、いずれもカム板６１を厚み方向に貫通する形態になっている。
【００１８】
続いて操作部材４０について説明する。操作部材４０は合成樹脂製であって、図８に示すように、全体として門型枠状をなしている。具体的には、操作部材４０は、上下方向（第１ハウジング１０に組み込まれた状態における上下方向）に延びる連結部４１と、連結部４１の上下両端から互いに平行に突出する一対の腕部４２とを有している。
【００１９】
図１及び図８に示すように、連結部４１は、両腕部４２に連結される連結本体４３と、連結本体４３の上下方向両端部から幅方向に張り出し且つ上下方向略中央部へ向けて前傾する傾斜部４４とからなる。連結部４１の上下方向略中央部には、ロック部４５が突出して設けられている。図２に示すように、ロック部４５は、連結部４１から幅方向に突出する基部４６と、基部４６の突出端から前後両方向に延出するロック本体部４７とからなる。ロック本体部４７は、板片状をなし、基部４６を支点として撓み変形可能とされている。
【００２０】
図２に示すように、ロック本体部４７の後端部には、解除操作部４８が幅方向外側（図２の左側）に突出して設けられている。ロック本体部４７の後端部を挟んだ上下両側には、このロック本体部４７の後端部を覆うように傾斜部４４が配置されている（図３を参照）。また、ロック本体部４７の前端部は、後部側に比べて薄肉になった薄肉部４９とされている。ロック本体部４７の薄肉部４９には、ロック孔５０が貫通して設けられている。
【００２１】
図８及び図９に示すように、腕部４２は、上下方向に細長く延びる帯板状の腕本体５１と、腕本体５１の前端部の外面（上側の腕本体５１の場合は上面で下側の腕本体５１の場合は下面）に突設されたカム部５２とからなる。カム部５２は、円柱状をなしている。
【００２２】
さて、組み付けに際し、操作部材４０の両カム部５２が、それぞれ、レバー６０の両カム板６１の被カム部６５に、両カム板６１の内側から嵌め込まれる。これにより、レバー６０の両カム板６１が操作部材４０を介して互いに連結される（図６を参照）。
【００２３】
また、レバー６０の両カム板６１が、それぞれ、第１ハウジング１０の両ポケット部１６内に挿入される。このとき、第１ハウジング１０の両支軸１８が、それぞれ、両カム板６１の軸受孔６２に、両カム板６１の外側から嵌め込まれる。また、第１ハウジング１０の両ガイド突部１９が、それぞれ、両カム板６１のガイド孔６４に、両カム板６１の外側から嵌め込まれる。そして、操作部材４０の両腕部４２が、それぞれ、第１ハウジング１０の両案内溝２２に後方から嵌め込まれる。かくして、レバー６０、操作部材４０及び第１ハウジング１０が互いに係合可能に組み付けられた状態となる（図３を参照）。
【００２４】
上記組み付け後、操作部材４０の連結部４１を摘んで後方へ引っ張ると、図３に示すように、ガイド突部１９がガイド孔６４の前端に当接し、操作部材４０のそれ以上の引っ張り操作が阻止される。これにより、操作部材４０は、連結部４１が第１ハウジング１０から後方に大きく離れて位置し、第１ハウジング１０からの突出量が大きい突出位置に留め置かれる（図３を参照）。そして、操作部材４０が突出位置にあるとき、被カム部６５を介して操作部材４０に連結されたレバー６０は、両カム板６１が第１ハウジング１０の後面から突出する嵌合開始位置に留め置かれる。レバー６０が嵌合開始位置にあるとき、カム溝６３の入り口は、導入溝２０と連通して前方を向いて配置されるようになっている。
【００２５】
続いて、操作部材４０が突出位置にあり、且つ、レバー６０が嵌合開始位置にある状態で、第１ハウジング１０が第２ハウジング８０のフード部８１内に嵌合される。第１ハウジング１０がフード部８１内に浅く嵌合されると、第２ハウジング８０の両カムフォロア８４が第１ハウジング１０の導入溝２０を介してレバー６０の両カム溝６３の入り口に進入する（図３を参照）。
【００２６】
上記の状態で、操作部材４０の連結部４１が前方へ押圧される。すると、操作部材４０の腕部４２が案内溝２２の溝面を摺動し、操作部材４０が案内溝２２に沿って前方（後述する押し込み位置）へ直進移動させられる（図４を参照）。つまり、操作部材４０は、第１ハウジング１０からの突出量を減じる方向に直進移動させられる。また、操作部材４０が前方へ直進移動させられるに伴い、操作部材４０の両カム部５２がそれぞれレバー６０の両被カム部６５を摺動する。これにより、操作部材４０の直進動作がレバー６０の回動動作に変換され、レバー６０が第１ハウジング１０からの突出量を減じる方向（図示反時計周り）に回動させられる。
【００２７】
レバー６０が回動させられると、第２ハウジング８０の両カムフォロア８４がそれぞれレバー６０の両カム溝６３の溝縁を摺動する。これにより、レバー６０と第２ハウジング８０との間に倍力作用が発揮され、第１ハウジング１０が第２ハウジング８０のフード部８１内に深く嵌合されて行く。この間、操作部材４０のガイド突部１９はガイド孔６４内を変位する。
【００２８】
その後、操作部材４０が押し込み位置に達すると、操作部材４０の腕部４２が案内溝２２に深く差し込まれ、操作部材４０の連結部４１が第１ハウジング１０の後面に当て止めされる（図５を参照）。このとき、ロック本体部４７の撓み動作を伴った後、第１ハウジング１０の被ロック部１５がロック部４５のロック孔５０に嵌まり込む（図２を参照）。これにより、操作部材４０が押し込み位置にて移動規制された状態に保持される。
【００２９】
操作部材４０が押し込み位置に達すると、レバー６０も嵌合完了位置に至らされて保持される。そして、レバー６０が嵌合完了位置に至ると、第１、第２ハウジング１０、８０も互いに正規嵌合された状態となる。なお、レバー６０が嵌合完了位置に至る直前には、レバー６０の両カム板６１の端部が第２ハウジング８０の膨出壁８３の内面を沿うように変位し、両カム板６１の端部がフード部８１内に除々に入り込むようになっている。
【００３０】
レバー６０が嵌合完了位置に至ると、第２ハウジング８０のフード部８１内に、第１ハウジング１０の全体及びレバー６０の全体が収容される（図２及び図５を参照）。このとき、レバー６０の両カム板６１の後端のストレート部分（図５の符号Ｓ１）がフード部８１の開口縁にほぼ沿って配置される。また、両カム６１の前端のストレート部分（図５の符号Ｓ２）がフード部の奥端面にほぼ沿って当接可能に配置される。
【００３１】
さらに、押し込み位置に達した操作部材４０も、指で押し込み操作等される連結部４１側を除いて、第２ハウジング８０のフード部８１内に収容される（図２及び図５を参照）。このため、第１、第２ハウジング１０、８０が互いに正規嵌合された状態では、第２ハウジング８０のフード部８１から突出する部分は、操作部材４０の連結部４１側の部分のみとなる。言い換えれば、第１ハウジング１０及びレバー６０は、第２ハウジング８０のフード部８１から突出する部分を有さず、フード部８１内に覆い隠された状態になる。
【００３２】
以上説明したように、本実施例によれば、レバー６０が嵌合完了位置に達したときに、レバー６０の全体が第２ハウジング８０のフード部８１内に収容されるため、レバー６０の出っ張りに起因してレバー式コネクタが大型になるのが防止される。また、カム部５２と被カム部６５とのカム係合を介して、レバー６０の端部に操作部材４０が連続して延びる形態になるため、見かけのレバー長が増加し、所定の倍力を確保することができる。したがって、本実施例によれば、所定の倍力を確保した上、小型化の要請に応えることが可能なレバー式コネクタが提供される。なお、操作部材４０が第１ハウジング１０の嵌合方向となる前方へ直進移動するため、操作部材４０が第２ハウジング８０のフード部８１と干渉するのが回避される。しかも、操作部材４０が第１ハウジング１０の嵌合方向となる前方へ直進移動することにより、レバー式コネクタの幅寸法を小さく抑えることができる。
【００３３】
とくに、操作部材４０が押し込み位置に達すると、操作部材４０も、押し込み操作される連結部４１側を除いて、フード部８１内に収容されるため、レバー式コネクタのさらなる小型化を図ることができる。
【００３４】
また、操作部材４０が押し込み位置に達したときに、ロック部４５が被ロック部１５を弾性的に係止して、操作部材４０がレバー６０とともに第１ハウジング１０に保持されるため、操作部材４０及びレバー６０を介して、第１、第２ハウジング１０、８０を嵌合状態に保持することができる。
【００３５】
＜他の実施例＞
以下、他の実施例の概略を示す。
（１）レバーは、一枚のカム板のみで構成されるものであってもよい。
（２）レバーは、両カム板を互いに連結する操作部を有することで、全体として門型をなすものであってもよい。
（３）上述の本実施例とは逆に、操作部材のカム部が溝状に形成され、レバーの被カム部が突状に形成されるものであってもよい。
（４）操作部材からロック部を省略し、レバーに、ロック部に相当するものを設けてもよい。
（５）レバーはその回動に伴って第２ハウジングを引っ掛けて第１ハウジング側に引き寄せるてこ式レバーであってもよい。
【符号の説明】
【００３６】
１０…第１ハウジング
１１…ハウジング本体
４０…操作部材
４５…ロック部
５２…カム部
６０…レバー
６１…カム板
６５…被カム部
８０…第２ハウジング
８１…フード部
【図１】
2015220049.tif 000003
【図２】
2015220049.tif 000004
【図３】
2015220049.tif 000005
【図４】
2015220049.tif 000006
【図５】
2015220049.tif 000007
【図６】
2015220049.tif 000008
【図７】
2015220049.tif 000009
【図８】
2015220049.tif 000010
【図９】
2015220049.tif 000011
【図１０】
2015220049.tif 000012